(57)【要約】【課題】従来の水道メータホルダーベースは、水道配管部とホルダーベース体との連結を袋ナット等の螺合締着によってきたが、螺合体の回動作業に多くの時間と手間を要し、しかも、最初から連結を予定された水道用機器にしか適用できないため、配管設計に巾を持たせることができなかった。【解決手段】水道用メータをベース本体に挟圧支持するために受けホルダーに対して進退する締付けホルダー２ａのスライダー４の後背部を配管継手５の先端を挿嵌する挿嵌構造とすると共に、前記スライダーを装嵌するホルダー体の後背部に配管継手嵌着構造２２を形成するようにした。【選択図】図１
2007085088.tif 000002
【特許請求の範囲】
【請求項１】
ベース本体に対峙する一対のホルダーを設け、その一方を締付けホルダー、他方を受けホルダーとして、メータの端部を嵌着支持する締付けホルダーのスライダーを受けホルダーに対して進退させて水道用メータをベース本体に挟圧支持するようにした水道用メータホルダーベースにおいて、スライダーの後背部を配管継手の先端を挿嵌する挿嵌構造とすると共に、前記スライダーを装嵌するホルダー体の後背部に配管継手嵌着構造を設けたことを特徴とする継手挿嵌メータホルダーベース
【請求項２】
配管継手嵌着構造を嵌着体が回動可能に嵌着するように構成した請求項１記載の継手挿嵌メータホルダーベース
【請求項３】
ホルダー体に対する嵌着体の回動機構を、嵌着体の嵌着構造部の外周とホルダー体の継手嵌着機構の内周に、それぞれ弾性樹脂製の止め輪が嵌入する嵌入溝を設け、嵌着構造部の外周嵌入溝に止め輪を圧縮嵌装して継手嵌着機構に強制圧入し、前記両嵌入溝が合成される位置まで圧入して止め輪を復元し、両嵌入溝による合成溝の内壁と止め輪の表面が摺動するように回動機構を構成した請求項２記載の継手挿嵌メータホルダーベース
【発明の詳細な説明】
【技術分野】
【０００１】
本発明は、水道メータの両端を着脱可能に支持して配管部に連結する水道用メータホルダーベースに関し、ホルダーベースの端部に設定される配管継手を螺合等による固定でなく挿嵌嵌着方式として水道配管作業を効率的に行えるようにした継手挿嵌メータホルダーベースに関するものである。
【背景技術】
【０００２】
従来、水道配管部と水道メータを支持するホルダーベース体との連結は、例えば特許文献１に記載のように、バルブ等の水道用機器に水道メータの着脱装置を付設して水道用機器における袋ナット等の連結機構によって連結したり、特許文献２のように接続端部に形成されたフランジ体を重合してボルト、ナットで締着する等、固定的な連結手段が講じられてきている。
【特許文献１】特許第３６５８４５６号公報
【特許文献２】特許第３０４２９７５号公報
【発明の開示】
【発明が解決しようとする課題】
【０００３】
しかしながら、水道用機器における袋ナット等の螺合締着や、フランジによるボルト、ナットでの締着は螺合体の回動作業に多くの時間と手間を要し、しかも、最初から連結を予定された水道用機器にしか適用できないため、配管設計に巾を持たせることができなかった。
【０００４】
また、給水配管から水道用機器に流通する水道水が水道用機器を挟圧するために進退するスライダー内を通過するので、進退機構の構造部に水道水やゴミが浸入して故障の原因に成り易いという問題があった。
【０００５】
更に、継手部が方向的に固定されるため、水道メータの設定現場において自由な配管を行なうことができず、余計な配管部材や設定スペースを用いなければならないという問題もあった。
【課題を解決するための手段】
【０００６】
本発明は上記した問題に鑑みこれに対応しようとするものであり、水道用メータをベース本体に挟圧支持するために受けホルダーに対して進退する締付けホルダーのスライダー後背部を配管継手の先端を挿嵌する挿嵌構造とすると共に、前記スライダーを装嵌するホルダー体の後背部に配管継手嵌着構造を形成するように構成した。
【０００７】
上記により配管継手の先端をスライダー後背部の挿嵌構造部に挿嵌することにより挿嵌された配管継手の先端部がスライダー等進退機構の構造部に覆着することになり、水道水やゴミの浸入を防止すると共に挿嵌距離を長くして配管継手の嵌着を安定させることができる。
【０００８】
また、配管継手嵌着構造を嵌着体が回動可能に嵌着するように構成し、エルボ状の継手をメータホルダーベースの端部に回動可能に嵌着することにより、水道メータ設定部からエルボの回動によって自由な方向に配管を設定したり、継手に接合される水道用機器の配設角度を自由に設定できるようにした。
【実施例】
【０００９】
以下、図面を参照して本発明の実施例を説明する。１はベース本体で、両側端に対峙する一対のホルダー２ａ、２ｂが設けられ、一方が締付けホルダー、他方が受けホルダーとして水道メータＡの両端に圧着してメータＡをベース本体１の中軸レベルに支持するようになっており、本体１の両側の端部は床面等への取付け部１２となっている。
【００１０】
締付けホルダー２ａは、ベース本体１に固定されたホルダー外郭体２にハンドル体３が螺合し、ハンドル体３に水道メータＡの端部を支持するスライダー４が螺合してハンドル体３の回動操作によってスライダー４を前進させて水道メータＡの端部を受けホルダー２ｂに向けて押圧し、ホルダー２ａ、２ｂ間に水道メータＡを挟圧保持し、或いはスライダー４を後退させて水道メータＡの圧着を解除してメータＡの取り外しを行うように構成されている。
【００１１】
ハンドル体３は、外周にホルダー外郭体２の内周に刻設された雌螺子２１と螺合する雄螺子３１を刻設し、内周にスライダー４の外周に刻設された雄螺子４１と螺合する雌螺子３２を刻設しており、外周の螺子と内周の螺子とは互いに逆螺子となっていてハンドル体３の回動操作によって他の螺子が回動される等の影響を受けないように構成されている。
【００１２】
ハンドル体３のスライダー４の雄螺子４１と螺合する雌螺子３２のピッチは、ホルダー外郭体２と螺合する雄螺子３１のピッチよりも２倍程度大きく設定され、ハンドル体３が一回転するとハンドル体３の進退巾の２倍の進退巾をもってスライダー４が進退するように構成される。なお、このスライダー進退機構は進退機構の一例を示すものであって、ハンドル体の回動によってスライダーが進退する構成のものであれば、他の構成を用いても良い。
【００１３】
スライダー４は外周に雄螺子４１を刻設し先端側に水道メータＡの端部流路に接合して嵌着する嵌着枠４２、後端側に配管継手５の先端挿嵌部５１を挿嵌する挿嵌構造部４３とすると共に、前記スライダー４を装嵌するホルダー外郭体２の後背部に配管継手嵌着機構２２を設けて配管継手５の嵌着構造部５２を嵌着し、継手５の流路が嵌着枠４２を介して水道メータＡの流路に接合する。
【００１４】
配管継手５の先端挿嵌部５１とスライダー４の挿嵌構造部４３とは、回動可能な挿嵌構造に構成され、Ｏリング４４が配管継手先端挿嵌部５１とスライダー４の内周との所要部に配置されて継手５の流路からスライダー４を介して水道メータＡの流路に流通する流体の洩れを防止している。このＯリング４４はベース本体１上に設定された係止体１１とスライダー４の先端距離との長さを調整してスライダー４を取外せるようにすれば、スライダー４の取外しによって簡単に交換が可能となる。
【００１５】
ホルダー外郭体２の配管継手嵌着機構２２と配管継手の嵌着構造部５２の回動機構は、嵌着構造部５２の外周と継手嵌着機構２２の内周に、それぞれ弾性樹脂製の止め輪５３が嵌入する嵌入溝２４、５４を設け、嵌着構造部５２の外周嵌入溝５４に止め輪５３を嵌装して継手嵌着機構２２に強制圧入すると、挿入時の圧縮された止め輪５３が継手嵌着機構２２内周の嵌入溝２４において復元し、継手嵌着機構２２内周の嵌入溝２４に嵌入されてホルダー外郭体２の嵌入溝２４と配管継手５の嵌入溝５４とが接続すると共に、両嵌入溝による合成溝の内壁と止め輪５３の表面が摺動して回動可能に構成されるようになっている。
【００１６】
配管継手５を図３、図４に示すようにエルボ型継手構造に構成すれば、嵌着構造部５２は上記回動機構を介してホルダー部２に連結されているので、エルボを任意の角度に回動することによりメーターＡの軸線方向以外の、上方、下方或いは前後水平方向にボールバルブユニット６、伸縮ユニオンなどの構造体や給水配管を配設することができる。
【００１７】
なお、重量のある構造体や給水配管を配設する場合には、ホルダー外郭体２の後端面２３に方向に合わせて選択できる複数の係止穴５５を設け、方向に適合する係止穴を選択してビス５６により配設体の基部をねじ止めして方向性の安定を図るようにするものである。
【００１８】
スライダー４の嵌着枠４２の下端部には水道メータＡの１次側端部ａ１を支持する支持片４５が設けられ、ベース本体１上に設定された係止体１１によって支持片４５の下部が支持係止されて、ハンドル体３の回動と共回りすることを防止すると共に、メータＡの重量をベース本体１上に安定的に支持する。
【００１９】
ホルダー外郭体２ｂの上流側端部は、受け側嵌着枠４６が設けられ、その下端部には水道メータＡの２次側端部Ａ２を支持する支持片４７、嵌着枠４６の下流側にはホルダー機構と逆止弁ユニットＢを内蔵し、下流側端は配管連結構造部２５となっている。
【００２０】
メーターＡは、その一端を受けホルダー２ｂの嵌着枠４６に着合し、他端を締付けホルダー２ａの嵌着枠４２に嵌入して、ハンドル体３の回動操作によって締付けホルダー２ａの嵌着枠４２を前進させることにより、受けホルダー２ｂと締付けホルダー２ａの間にメータＡを挟着するように構成されている。
【００２１】
以上のように構成したホルダーベースを、取付け部１２によってメータＡの配設位置に取付け、１次側の流体供給路を開通させれば流体は締付けホルダー２ａの流路からメータＡを通過して受けホルダー２ｂの流路に流通し、流量等の計測が行われるものである。
【００２２】
本発明は以上のように構成したので、配管継手の先端をスライダー後背部の挿嵌構造部に挿嵌してホルダーベース自体に継手機能を持たせることができると共に、挿嵌された配管継手の先端部がスライダー等進退機構の構造部に覆着することになり、水道水やゴミの浸入を防止し、水道メータ設定部からエルボの回動によって自由な方向に配管を設定することを可能としたものである。
【図面の簡単な説明】
【００２３】
【図１】本発明の実施例を示すもので、締付けホルダーと継手挿嵌部の構造を示すホルダーベース締付けホルダー部の拡大縦断面側面図
【図２】同じく、図１の継手挿嵌部の要部を更に拡大したホルダーベース締付けホルダー部の部分縦断面側面図
【図３】同じく、本発明の他の実施例を示すもので、挿嵌する配管継手をエルボ型継手構造に構成し、メーターをホルダー支持片上に載置した状態でホルダーの要部を断面として示すホルダーベースの全体正面図
【図４】同じく、要部を断面として示した図２の左側面図
【符号の説明】
【００２４】
１  ベース本体
１１  ベース本体のスライダー係止体
１２  ベース本体の床面等への取付け部
２  ホルダー外郭体
２ａ  締付けホルダー
２ｂ  受けホルダー
２１  ホルダー外郭体内周の雌螺子
２２  ホルダー外郭体の配管継手嵌着機構
２３  ホルダー外郭体の後端面
２４  ホルダー外郭体の止め輪嵌入溝
２５  受けホルダー外郭体の配管連結構造部
３  ハンドル体
３１  ハンドル体外周の雄螺子
３２  ハンドル体内周の雌螺子
４  スライダー
４１  スライダー外周の雄螺子
４２  水道メータ端部に嵌着するスライダーの嵌着枠
４３  スライダー後背部の挿嵌構造部
４４  Ｏリング
４５  嵌着枠の水道メータ端部支持片
４６  受け側嵌着枠
４７  受け側嵌着枠の水道メータ端部支持片
５  配管継手
５１  配管継手先端部
５２  配管継手の嵌着構造部
５３  嵌着止め輪
５４  配管継手の止め輪嵌入溝
５５  配管継手の配設体回動基部係止穴
５６  配設体回動基部係止ビス
６  ボールバルブ
Ａ    水道メータ
Ａ１  水道メータの１次側端部
Ａ２  水道メータの２次側端部
Ｂ    逆止弁ユニット
【図１】
2007085088.tif 000003
【図２】
2007085088.tif 000004
【図３】
2007085088.tif 000005
【図４】
2007085088.tif 000006